(57)【要約】【課題】  従来の緩衝体は、ポケット部前端から延設した係合フラップを内コーナー部に引っ掛ける構造であるため、緩衝体を引張るにつれて係合フラップを押し上げる方向に力が働き、ポケット部を構成する主板間が開く方向に変形して緩衝体が容易にずれるなど、固定が緩いという問題があった。【解決手段】  板状本体の周囲に枠体を備えた額縁状物品を梱包する場合において、少なくともコーナー部分に取り付ける段ボール製緩衝体であって、該額縁状物品の一面側コーナー部にあてがう底面板と、該底面板の両側からそれぞれ延設し該枠体の周面に沿わせる側面板と、各側面板から延設し該額縁状物品の他面側コーナー部を重ね合わせて覆い、係止部を備えた２つの天面板とによって構成し、該板状本体と該枠体との段差部に臨ませるもので、該段差部の内コーナー内壁面に沿わせる内コーナー部材を、下側に重ねられる該天面板の内コーナー内壁面に沿う縁部から延設する。【選択図】        図１
2011168298.tif 000002
【特許請求の範囲】
【請求項１】
板状本体の周囲に枠体を備えた額縁状物品を梱包する場合において、少なくともコーナー部分に取り付ける包装材料よりなる緩衝体であって、該額縁状物品の一面側コーナー部にあてがう底面板と、該底面板の両側からそれぞれ延設し該枠体の周面に沿わせる側面板と、各側面板から延設し該額縁状物品の他面側コーナー部を重ね合わせて覆い、係止部を備えた２つの天面板とによって構成し、該板状本体と該枠体との段差部に臨ませるもので、該段差部の内コーナー内壁面に沿わせる内コーナー部材を、下側に重ねられる該天面板の内コーナー内壁面に沿う縁部から延設したことを特徴とする緩衝体。
【請求項２】
内コーナー部材は、天面板に沿う縁部から延設した一方の内コーナー部材から連結板を介して他方の内コーナー部材を延設した請求項１記載の緩衝体。
【請求項３】
係止部は、上側に重ねる天面板に設けた差込片と下側に重ねられる天面板に設けた差込溝とによって構成し、該差込溝に差し込んだ該差込片を内コーナー部材とした請求項１記載の緩衝体。
【請求項４】
前記天面板の前記差込片を有する辺には、前記差込片のみが突出してなる請求項１乃至３のいずれか１項に記載の緩衝体。
【請求項５】
板状本体の周囲に枠体を備えた額縁状物品と、少なくともコーナー部分に取り付ける包装材料よりなる緩衝体を備える梱包形態であって、前記緩衝体は該額縁状物品の一面側コーナー部にあてがう底面板と、該底面板の隣り合う２辺側からそれぞれ延設し該枠体の周面に沿わせる側面板と、各側面板から延設し該額縁状物品の他面側コーナー部を重ね合わせて覆い、係止部を備えた２つの天面板とによって構成し、該板状本体と該枠体との段差部に臨ませるもので、該段差部の内コーナー内壁面に沿わせる内コーナー部材を、下側に重ねられる該天面板の内コーナー内壁面に沿う縁部から延設してなる、緩衝体により、梱包したことを特徴とする梱包形態。
【請求項６】
内コーナー部材は、天面板に沿う縁部から延設した一方の内コーナー部材から連結板を介して他方の内コーナー部材を延設した請求項５記載の梱包形態。
【請求項７】
係止部は、上側に重ねる天面板に設けた差込片と下側に重ねられる天面板に設けた差込溝とによって構成し、該差込溝に差し込んだ該差込片を内コーナー部材とした請求項５記載の梱包形態。
【請求項８】
前記天面板の前記差込片を有する辺には、前記差込片のみが突出してなる請求項５乃至７のいずれか１項に記載の梱包形態。
【発明の詳細な説明】
【技術分野】
【０００１】
本発明は、周囲に枠体を備え、該枠体による段差部に係合させ取り付ける緩衝体に関する。
【背景技術】
【０００２】
矩形の板状部材などの製品や半製品は、保管や輸送する場合損傷しやすいコーナー部分などに緩衝体を取り付けて梱包する方法が広く行なわれている。特に、板状本体の周囲に枠体を設けた額縁状物品においては、板状本体と枠体の段差部を利用することによってコーナー部に外嵌した緩衝体の抜け止めを図っている。
【０００３】
例えば、特許文献１や特許文献２に開示されているコーナー用緩衝体がある。  これらは、額縁状物品のコーナー部に外嵌するポケット部前端から係合フラップを延設した構造であり、緩衝体を装着すると同時に該係合フラップが内コーナー部（板状本体と枠体の段差部のコーナー隅部分）に係合して抜け止めされることになる。
【先行技術文献】
【特許文献】
【０００４】
【特許文献１】実用新案登録第３１５０２３４号
【特許文献２】実用新案登録第３１５５０９７号
【発明の概要】
【発明が解決しようとする課題】
【０００５】
上述した構造の緩衝体は、ポケット部前端から延設した係合フラップを内コーナー部に引っ掛ける構造であるため、緩衝体を引張るにつれて係合フラップを押し上げる方向に力が働き、ポケット部を構成する主板間が開く方向に変形して緩衝体が容易にずれるなど、固定が緩いという問題があった。
【０００６】
これらのことから、荷役時に誤って緩衝体を持って額縁状物品を動かそうとして取り落としたり、段積みした額縁状物品を下に擦りながら持ち上げようとして緩衝体が外れたり、それを防止するために額縁状物品と緩衝体を完全に固定するために結束帯で改めて縛る必要が生じるなどの問題があった。
また、係合フラップを内コーナー部に引っ掛ける構造であるため、緩衝体を引き抜く方向に動かした場合、誤って係合フラップの先端が保護すべき板状本体に食い込む動きをしたり、強く擦れる動きをする場合があり、精密部品や破損しやすい材質の物品には緩衝体として採用できないという問題があった。
【課題を解決するための手段】
【０００７】
そこで本発明者は上記問題に鑑み鋭意研究の結果、本発明を成し得たものであり、その特徴とするところは、板状本体の周囲に枠体を備えた額縁状物品を梱包する場合において、少なくともコーナー部分に取り付ける包装材料よりなる緩衝体であって、該額縁状物品の一面側コーナー部にあてがう底面板と、該底面板の両側からそれぞれ延設し該枠体の周面に沿わせる側面板と、各側面板から延設し該額縁状物品の他面側コーナー部を重ね合わせて覆い、係止部を備えた２つの天面板とによって構成し、該板状本体と該枠体との段差部に臨ませるもので、該段差部の内コーナー内壁面に沿わせる内コーナー部材を、下側に重ねられる該天面板の内コーナー内壁面に沿う縁部から延設したことにある。
【０００８】
ここで、本明細書中でいう「額縁状物品」とは、板状本体の周囲に枠体を備え該枠体が該板状本体より突出した構造のものをいう。この場合、枠体は板状本体の片面だけでなく、両面に突出する構造も含む。
【０００９】
「内コーナー部材」とは、板状本体と枠体との間に形成された段差部に臨ませる部材をいう。本発明に係る緩衝体は、梱包すべき額縁状物品のコーナー部に外嵌した状態に装着する緩衝体であり、段差部に臨ませるための内コーナー内壁面に沿わせる内コーナー部材を設けることによって抜け止めを図っている。この場合の沿わせるとは、接当させるだけでなく多少離反した位置にあってもよい。内コーナー部材は、一方の下側に重ねられる天面板の内コーナー内壁面に沿う縁部から延設した構造であり、梱包するときに折り畳むようにして装着する。
【００１０】
額縁状物品に装着した緩衝体の抜け止め手段としては、額縁状物品の内コーナー内壁面における直交する２面の内壁面の内、１面だけに内コーナー部材を沿わせるだけでもよい。この場合は、内コーナー内壁面の１面に沿わせた内コーナー部材の側端部が、直交する他方の内コーナー内壁面に接当することで抜け止めとなる。
【００１１】
内コーナー部材は、基本的に内コーナー内壁面の直交する２面の内壁面に沿わせるように設けて抜け止めを確実にするのが好ましい。２面に沿わせる手段としては、下側に重ねられる天面板から延設した内コーナー部材の側端部からもう一つの内コーナー部材を延設したり、自由端部から連結板を介して延設する。また、本発明に係る緩衝体は、２つの天面板を折り重ねて係止部で係合させる構造であるため、係止部の係止片を内コーナー部材として内コーナー内壁面に沿わせるようにしてもよい。
【発明の効果】
【００１２】
本発明に係る緩衝体は、額縁状物品の内コーナー内壁面に沿わせる内コーナー部材を設けて装着する構造であることから、額縁状物品のコーナー部の枠体が嵌り込む空間を形成して、無理なく抜け止めした状態で装着することができる。このため、装着した緩衝体を外す方向に力が作用した場合でも、内コーナー部材が額縁状物品の板状本体にほとんど作用せず、板状本体が精密部品や破損しやすい材質であっても傷めることがなく、梱包用の緩衝体として優れた機能を有する。
【００１３】
また、本発明に係る緩衝体は、折り畳みによって剛性を出しつつ装着する構造であることから、また装着の逆の手順で開梱しなければ、破壊して取り外すには大きな力が必要であるため、梱包の信頼性が高いとともに、ホットメルトによる接着やストラッピングによる結束などの必要がなく、梱包材料を削減することができる。
【図面の簡単な説明】
【００１４】
【図１】本発明に係る緩衝体の一実施例を示す斜視図である。（実施例１）
【図２】図１に示した緩衝体を額縁状物品のコーナー部に装着した状態を示す斜視図である。
【図３】図１に示した緩衝体のブランクシートである。
【図４】本発明に係る緩衝体を額縁状物品に装着する状態を示すもので、（ａ）は平面図、（ｂ）（ｃ）は斜視図である。
【図５】（ａ）は本発明に係る緩衝体の他の実施例を示す斜視図、（ｂ）は（ａ）のブランクシートである。（実施例２）
【図６】本発明に係る緩衝体のさらに他の実施例を示す平面図である。（実施例３）
【図７】本発明に係る緩衝体のさらに他の実施例を示す一部断面図である。（実施例４）
【図８】（ａ）は本発明に係る緩衝体のさらに他の実施例を示す斜視図、（ｂ）は（ａ）のブランクシートである。（実施例５）
【図９】本発明に係る緩衝体のさらに他の実施例のブランクシートである。（実施例６）
【発明を実施するための形態】
【００１５】
本発明は、板状本体と該枠体との段差部の内コーナー内壁面に沿わせる内コーナー部材を、下側に重ねる天面板の内コーナー内壁面に沿う縁部から延設したことにより、上述課題を解決した。
【実施例１】
【００１６】
図１は、本発明に係る緩衝体１の一実施例を示すもので、額縁状物品Ｐの一面側コーナー部にあてがう底面板２、該底面板２の両側からそれぞれ延設し該額縁状物品Ｐの枠体Ｐ２の周面に沿わせる側面板３、各側面板３から延設し該額縁状物品Ｐの他面側コーナー部を重ね合わせて覆い、係止部４１を備えた２つの天面板４とによって構成している。下側に重ねられる天面板４には、額縁状物品Ｐの板状本体Ｐ１と枠体Ｐ２との段差部の内コーナー内壁面Ｐ３に沿わせる内コーナー部材５を延設している。この内コーナー部材５を板状本体Ｐ１と枠体Ｐ２との段差部に臨ませることにより、緩衝体１は、図２に示すように該額縁状物品Ｐのコーナー部に外嵌した状態から外れないように保持されて装着される。
【００１７】
図３は、図１に示した緩衝体１のブランクシートであり、２つの内コーナー部材５は、天面板４から延設した一の内コーナー部材５に連結板５１を介して他の内コーナー部材５を延設している。また、係止部４１は差込片４２と差込溝４３とによって構成している。
緩衝体１の材料としては、段ボールや板紙、プラスチック段ボール、発泡プラスチックのシートなどを適宜選択して使用することができる。また製造方法としては、トムソン金型による型抜き加工を用いるとよい。
【００１８】
緩衝体１を額縁状物品Ｐに装着するには、図４（ａ）のようにブランクシートの状態で底面板２を額縁状物品Ｐのコーナー部の下に敷く。そして、同図（ｂ）のように底面板２から延設した側面板３、天面板４、内コーナー部材５、連結板５１、内コーナー部材５を順次折り曲げて、額縁状物品Ｐの内コーナーＰ４に嵌め込む。次に、上に重ねる天面板４を折り曲げて差込片４２を差込溝４３に差し込んで装着が完了する。
【００１９】
本発明の緩衝体は上記の構造を用いたことにより、以下の効果を有する。
まず直交する２つの内コーナー部材５が額縁状物品Ｐの内コーナー内壁面Ｐ３と当接しつつ、側面板３と内コーナー部材５の間に枠体Ｐ２を収納する空間を形成し、連結板５１と底面板２の間に板状本体Ｐ１を収納する空間を形成する。このため装着した緩衝体１を外す方向に力が作用した場合でも板状本体Ｐ１にほとんど応力を加えることなく、額縁状物品Ｐのコーナー部を保護することができる。
【００２０】
また緩衝体１を額縁状物品Ｐに装着する際に、緩衝体１で額縁状物品Ｐのコーナー部を包むように折り畳み、枠体Ｐ２を内コーナー部材５と側板３で挟持して固定する構造であることから、強固な折り畳み構造が内コーナーＰ４に形成される。これにより緩衝体１が額縁状物品Ｐから半ば抜けるなどの不具合を防止することができる。
さらに緩衝体１は、折り畳みながら装着する構造であり、差込片４２を差込溝４３に挿入して固定することから、接着剤やテープなどが不要である。これにより、原材料を節約できるとともに、プラスチック段ボールなどの耐久性の高い包装材料を用いた場合、繰り返し使用することが可能である。
【実施例２】
【００２１】
図５（ａ）（ｂ）は本発明の他の実施例を示すもので、隣り合う２つのコーナーに装着する構造の緩衝体２１である。これは、図１に示した緩衝体１とこれの線対称構造の緩衝体１のそれぞれの天面板４、側面板３、底面板２同士を辺部材６で連結したものであり、額縁状物品Ｐの隣り合う２つのコーナーとこれらの間の辺部も同時に保護することができる。
【実施例３】
【００２２】
内コーナー部材５としては、下側に重ねられる天面板４から延設した一の内コーナー部材５だけでも緩衝体１の抜け止めとして機能させることができる。これは、図６に示すように内コーナー部材５の表面と側端面を内コーナー内壁面Ｐ３に沿わせることで抜け止めとなる。内コーナー部材５が枠体Ｐ２の内コーナー内壁面Ｐ３上端部側から垂下した状態であっても、天面板４側に折れ曲がりにくく保持させることができる。通常、内コーナー内壁面Ｐ３が天面板４の側方や僅か下方に位置するように設計されるため、抜け止めとして充分機能させることができる。
【実施例４】
【００２３】
内コーナー部材５としては、天面板４同士を係合させるための差込片４２を利用することもできる。これは、図７のように差込片４２を内コーナー内壁面Ｐ３に沿う位置に設けた場合である。差込片４２を挿通させる差込溝４３側に図４（ｃ）のような折込片４４を設ければ、二重の内コーナー部材５となる。
【実施例５】
【００２４】
図８（ａ）（ｂ）は本発明のさらに他の実施例を示すもので、額縁状物品Ｐの内コーナー内壁面Ｐ３に沿わせる一の内コーナー部材５の側部から他の内コーナー部材５を延設した構造である。２つの内コーナー部材５をほぼ直角に折り曲げることで、内コーナー内壁面Ｐ３の両面に沿わせた状態に保持させることができる。
【実施例６】
【００２５】
さらに、図９に示すように前記差込片４２を有する前記天面板４は、前記差込片４２のみが突出してなれば、枠体Ｐ２と接する位置での前記差し込み片４２を有する天面板４と、前記差し込み溝４３を有する天面板４との重なりをなくすことができる。これは図７において、Ａ部をなくすことで、形成することができる。これにより、額縁状物品Ｐを段積みした際に、枠体Ｐ２の間に挟まれる天面板４が一枚となることから、枠体Ｐ２の一部に集中荷重が加わることを防止し、額縁状物品への負荷を低減することができる。また、天面板の余分な突出がなくなるので、緩衝材間でこの余分な突出が引っかかるなどの干渉がなくなり、緩衝材が分解するようなことが低減できる点で好ましい。
またこれは、トムソン金型で抜く場合であっても、抜き跡を再利用すれば、材料費の節約にもなる。
【符号の説明】
【００２６】
Ｐ  額縁状物品
Ｐ１  板状本体
Ｐ２  枠体
Ｐ３  内コーナー内壁面
Ｐ４  内コーナー
１、２１  緩衝体
２  底面板
３  側面板
４  天面板
４１  係止部
４２  差込片
４３  差込溝
５  内コーナー部材
５１  連結板
６  辺部材
【図１】
2011168298.tif 000003
【図２】
2011168298.tif 000004
【図３】
2011168298.tif 000005
【図４】
2011168298.tif 000006
【図５】
2011168298.tif 000007
【図６】
2011168298.tif 000008
【図７】
2011168298.tif 000009
【図８】
2011168298.tif 000010
【図９】
2011168298.tif 000011